(57)【要約】      （修正有）【課題】収容体の扉や蓋等の開閉具を開閉するのみで、その都度自動的に散布液等を収容体内に散布する収容体内自動散布装置を提供する。【解決手段】散布液収容部１００と、押しボタン２０２と散布液吐出機構２００を装着した散布液散布装置１００Ａを、収納体の開閉具２又は収納体１自体に着脱可能に装着し、開閉具の開閉作動により押しボタンの押し込みとその解除を操作する押し込み操作機構３００Ａを散布液吐出機構に併設し、押し込み操作機構は、先端部を開閉具に当接離間可能にし、押しボタンのヘッドに摺動接触して押しボタンの押し込みとその解除をするテーパーカム３１１ｂを胴部に形成したカム付操作アーム３１０と、カム付操作アームを付勢して往復摺動を可能にしたばね機構３２０ｂと、散布用開口部３１１を形成して散布液収容部１００の上部に着脱可能に装着した枠体３３０とからなる。【選択図】図１
2015136698.tif 000002
【特許請求の範囲】
【請求項１】
散布液収容部１００と、その上部に散布口２０１付でスプリング（２０３、４０２）により所定範囲を上下動可能にした押しボタン２０２と散布液吐出機構２００を装着した散布液散布装置１００Ａにおいて、前記散布液散布装置１００Ａを開閉具２を有する収納体の開閉具２側又は収納体１自体に着脱可能に装着し、開閉具２の開閉作動により前記押しボタン２０２の押し込みとその解除を操作する押し込み操作機構３００Ａを散布液吐出機構２００に併設し、前記押し込み操作機構３００Ａは、先端部を前記開閉具２に当接離間可能にし、前記押しボタン２０２のヘッドに摺動接触して押しボタン２０２の押し込みとその解除をするカム部を胴部に形成したカム付操作アーム３１０と、前記カム付操作アーム３１０を付勢して往復摺動を可能にしたばね機構（３２０ａ，３２０ｂ、３２０ｃ）と、これ等カム付操作アーム及びばね機構を収容し散布用開口部を形成し散布液収容部の上部に着脱可能に装着した枠体と、からなることを特徴とする収容体内自動散布装置。
【請求項２】
前記散布液散布装置１００Ａは、前記散布液吐出機構２００を、散布液のみの一流体押し込みポンプ吐出式にするか、又は、散布液と圧縮ガスとの二流体混合吐出式にしたことを特徴とする請求項１に記載の収容体内自動散布装置。
【請求項３】
前記散布液吐出機構２００の押しボタン２０２のヘッドをテーパヘッド２０２ａ又は半球状ヘッド２０２ｂにし、前記カム付操作アーム３１０のカム部をテーパカム３１１ａ，３１１ｂにしたことを特徴とする請求項１又は請求項２に記載の収容体内自動散布装置。
【請求項４】
前記散布液吐出機構２００の押しボタン２０２のヘッドを山波ヘッド２０２ｃにし、前記カム付操作アーム３１０のカム部を二段の山波カム３１１ｃ−１，３１１ｃ−２にしたことを特徴とする請求項１又は請求項２又は請求項３に記載の収容体内自動散布装置。
【請求項５】
枠体３３０の散布用開口部３３１おいて、前記散布液吐出機構２００の押しボタン２０２を押し込んだ際に、散布口２０１の噴射位置の前方周囲に散布液吸収・放散部材３３６を配置したことを特徴とする請求項１又は請求項２又は請求項３に又は請求項４に記載の収容体内自動散布装置。
【請求項６】
前記散布液散布装置の散布液収容部１００に収容する散布液は、消毒液、滅菌液、除菌液、芳香液、消臭液の何れか一つであることを特徴とする請求項１〜請求項５の何れか一つに記載の収容体内自動散布装置。
【発明の詳細な説明】
【技術分野】
【０００１】  本発明は、扉を有する部屋、洋・和ダンス、書籍収納棚、食器収納棚、又は蓋を有する工具収容箱、什器類等々の収容体（以下単に収容体と言う）内に、当該扉又は蓋を開閉する都度その開閉作動力を利用して、消毒液、滅菌液、除菌液、芳香液、消臭液等を自動的に散布（液滴散布、噴霧散布、ミスト散布等）する収容体内自動散布装置に関するものである。
【背景技術】
【０００２】  扉を有する部屋、洋・和ダンス、書籍収納棚、食器収納棚、蓋を有する工具収容箱、什器類等々の収容体は、当該扉又は蓋を開閉し外気の侵入が多いこと更に閉めた状態を長時間継続しておくことなどにより、収容物へのカビ類の発生、侵入ばい菌の繁殖などにより、変質、汚れ、悪臭の発生などが発生して、非衛生的になる。【０００３】  これらの改善には、空気清浄機、プラズマ滅菌装置、滅菌灯、除菌灯などを設置したり或いは人により消毒液、滅菌液、除菌液、芳香液、消臭液等の散布液を散布して衛生的な環境を維持することが必要である。しかし前者は多額の費用を必要としまた適用個所にも制約がある。
後者は人が当該散布液を収容したスプレイ容器を持って散布して対応しなければならない煩雑なものである。したがってこの作業を定期的に行うには限界がある。【０００４】
【発明の概要】
【発明が解決しようとする課題】
【０００５】  本発明は、前記収容体の扉や蓋等の開閉具を開閉するのみで、その都度自動的に散布液等を収容体内に散布してその散布目的を瞬時に達成するための収容体内自動散布装置を提供するものである。
【課題を解決するための手段】
【０００６】  本発明は前記の課題を全て満足する収容体内自動散布装置であり、その特徴とするところは、各実施例を示す図１〜図６の図面と共に説明すれば次の（１）〜（６）の通りである。【０００７】（１）、散布液収容部１００と、その上部に散布口２０１付でスプリング（２０３、４０２）により所定範囲を上下動可能にした押しボタン２０２と散布液吐出機構２００を装着した散布液散布装置１００Ａにおいて、前記散布液散布装置１００Ａを開閉具２を有する収納体の開閉具２側又は収納体１自体に着脱可能に装着し、開閉具２の開閉作動により前記押しボタン２０２の押し込みとその解除を操作する押し込み操作機構３００Ａを散布液吐出機構２００に併設し、前記押し込み操作機構３００Ａは、先端部を前記開閉具２に当接離間可能にし、前記押しボタン２０２のヘッドに摺動接触して押しボタン２０２の押し込みとその解除をするカム部を胴部に形成したカム付操作アーム３１０と、前記カム付操作アーム３１０を付勢して往復摺動を可能にしたばね機構（３２０ａ，３２０ｂ、３２０ｃ）と、これ等カム付操作アーム及びばね機構を収容し散布用開口部を形成して散布液収容部の上部に着脱可能に装着した枠体とからなることを特徴とする収容体内自動散布装置。【０００８】（２）、前記散布液散布装置１００Ａは、前記散布液吐出機構２００を、散布液のみの一流体押し込みポンプ吐出式にするか、又は、散布液と圧縮ガスとの二流体混合吐出式にしたことを特徴とする前記（１）に記載の収容体内自動散布装置。【０００９】（３）、前記散布液吐出機構２００の押しボタン２０２のヘッドを半球状ヘッド２０２ａ又はテーパヘッド２０２ｂにし、前記カム付操作アーム３１０のカム部をテーパカム３１１ａ，３１１ｂにしたことを特徴とする前記（１）又は（２）に記載の、収容体内自動散布装置。【００１０】（４）、前記散布液吐出機構２００の押しボタン２０２のヘッドを山波ヘッド２０２ｃにし、前記カム付操作アーム３１０のカム部を二段の山波カム３１１ｃ−１，３１１ｃ−２にしたことを特徴とする前記（１）又は（２）又は（３）に記載の、収容体内自動散布装置。【００１１】（５）、枠体３３０の散布用開口部３３１おいて、前記散布液吐出機構２００の押しボタン２０２を押し込んだ際に、散布口２０１の噴射位置の前方周囲に散布液吸収・放散部材３３５を配置したことを特徴とする前記（１）又は（２）又は（３）又は（４）に記載の収容体内自動散布装置。【００１２】（６）、前記散布液散布装置１００Ａの散布液収容部１００に収容する散布液は、消毒液、滅菌液、除菌液、芳香液、消臭液の何れか一つであることを特徴とする前記（１）〜（５）の何れかに記載の収容体内自動散布装置。
【発明の効果】
【００１３】  本発明の収容体内自動散布装置は、収容体に取り付けた扉や蓋等の開閉具を開閉するのみで、その開閉の都度、その開閉動作の際の、開閉具又は収納体との相対的な離間作用及び／又は接近作用で自動的に押し込み操作機構を作動して、押しボタンの押し込み操作を行い、その散布口から消毒液、滅菌液、除菌液、芳香液、消臭液等の散布液を液滴散布、噴霧散布、ミスト散布等を自動的に収納体内に又は収納体内の収容物に確実に散布して、消毒、滅菌、除菌、芳香、消臭を行い、カビ類の発生、ばい菌の繁殖、悪臭の発生等を防止して、常に衛生的な環境を維持することができる。勿論開閉具が閉止中の間、或いは開閉具が開放中は、散布作用は自動的に中止することができるが、長期間閉め切っておくか開放しておくことが多い収容体の場合は、定期的に開閉するのみで散布液は自動的に散布されて前記衛生的な環境を安価に維持することが容易確実に可能となる。【００１４】  また、収容体内自動散布装置は、散布口付の押しボタンと散布液吐出機構を有する前記散布液散布装置に、枠体とカム付操作アームとばね機構とからなる前記押し込み操作機構を着脱可能に装着するので、既製品の各種の散布液収容部の交換が簡単に可能である。
また収容体内自動散布装置は、前記開閉具を有する収納体の開閉具側又は収納体自体に散布液収容部を着脱ホルダなどにより着脱可能に装着するので、前記押し込み操作機構と共に散布液収容部を交換することが可能である。【００１５】  また二流体混合吐出式の散布液吐出機構を有する前記前記散布液散布装置であっても、前記開閉具の開作動が短時間又は瞬間的に行われる収容体の場合は、散布液吐出機構の押しボタンのヘッドをテーパヘッド又は半球状ヘッドにし、前記カム付操作アームのカム部をテーパカムにして開閉具の開作動中にのみ、収容体内に散布液を散布するようにしてもよいが、この例は短時間の開動作時間のときの散布に有効であるが、散布液を収容体内に意図的に散布するためにのみ開閉具の開作動時間を設定してその時間中は散布が継続される場合にも適用できることは言うまでもない。
また、散布液吐出機構を押し込みポンプ式にした前記散布液散布装置であっても当該押しボタンのヘッドを山波ヘッドにし、前記カム付操作アームのカム部を二段の山波カムにして開閉具の開動作及び閉動作の各々作動中に収容体内に散布液を散布することができる。【００１６】＜使用例の効果＞
１．本発明の収容体内自動散布装置を靴箱に採用
靴箱に収容物を出し入れする際の開閉具の開閉作動により外から雑菌が侵入するが、開閉具の開閉作動で、殺菌液又は芳香液等を自動的に靴箱内に散布充満させて、靴箱内空気及び収容物の殺菌や脱臭を行い靴箱内環境を清潔に維持する。
２．本発明の収容体内自動散布装置を家屋や院内の部屋の開閉扉に採用
上記部屋の開閉扉が開閉されるたびに開閉扉の開閉作動で自動的に、滅菌液又は芳香液を上記部屋内に散布充満させて、上記部屋内空気中の細菌を滅菌し或いは脱臭を行い部屋環境を清潔に維持する。
３．本発明の収容体内自動散布装置を包丁、まな板、鍋釜等の調理器具等を収容する収納箱に採用
上記収納箱の開閉扉が開閉されるたびに開閉扉の開閉作動で自動的に、消毒液又は殺菌液、滅菌液、脱臭液等を上記収納箱内に散布充満させて、上記部屋内空気中の脱臭や細菌を滅菌し或いは器具の消毒・殺菌・滅菌、ゴキブリ退治等を行い収納箱環境を清潔に維持する。
【図面の簡単な説明】
【００１７】
【図１】本発明の収容体内自動散布装置の実施例１を示し、収容体１の開閉具２を開けた時の散布液吸引作動（１）と次に閉めた時の散布液散布作動（２）を示す各縦断面説明図である。
【図２】図１の（１）及び（２）の要部拡大説明図である。
【図３】本発明の収容体内自動散布装置の実施例２を示し、収容体１の開閉具２を閉めた時の散布液散布作動（１）と次に開けた時の散布液散布中止作動（２）を示す各縦断面説明図である。
【図４】図３の（１）及び（２）の要部拡大説明図である。
【図５】本発明の収容体内自動散布装置の実施例３を示し、収容体１の開閉具２を閉めてた時の散布中止作動（１）と、次に開閉具２を少し開けた時の散布液散布作動（２）と、開閉具２を更に開けた時の散布液散布中止状作動（３）を各々示す縦断面説明図である。
【図６】図５の（１）〜（３）の要部拡大説明図である。
【発明を実施するための形態】
【００１８】  本発明を実施するための形態を後述の実施例１〜実施例３と共に詳細に説明する。
【実施例１】
【００１９】実施例１は図１〜図２の縦断面説明図に示す。
図１〜図２において、収容体内自動散布装置は、収容体１の開閉具２を閉めた際に、図１の（２）と図２の（２）に示す状態にして、開閉具２の閉作動で散布液を所定量散布し、その後、開閉具２の開作動により図１の（１）と図２の（１）に示す状態にして、散布液吸引し、続く閉作動で再び散布をするタイプであり、散布液散布装置１００Ａと、押し込み操作機構３００Ａとからなる。【００２０】散布液散布装置１００Ａは、散布液収容部１００と散布液吐出機構２００からなり、消毒液、滅菌液、除菌液、芳香液、消臭液の何れか一つである散布液のみを散布液収容部１００に収容し、散布液吐出機構２００を一流体押し込みポンプ吐出式にしたものである。【００２１】散布液収容部１００は収納体１の開閉具２側又は収納体自体に、上下一対のΩ型の着脱ホルダー１１０により着脱可能に弾性力で締め付け装着支持される。【００２２】散布液吐出機構２００は、散布液収容部１００の上部に散布口２０１付の押しボタン２０２と、散布液吐出器２１０と、散布液吐出器２１０の下方に連通接続した吸引パイプ２０４とからなり、押しボタン２０２は押し込み操作機構３００Ａにより押し込み散布とその中止が操作される。【００２３】押しボタン２０２は、半円球ヘッド２０２ａを形成し、スプリング２０３により所定範囲を上下動可能にしてある。押しボタン２０２の散布口２０１は、ミスト散布用ノズル、霧状散布口２０１、液滴散布口２０１等公知の散布口２０１で良く、散布液の種類と散布目的に応じて選択される。【００２４】散布液吐出器２１０は、ポンプ式散布液吐出器であり、図２の（１）に示すように、開閉弁２１１、２１２付きの一対のカップ２１３，２１４を対向配置させてポンプ２１５を構成し、上カップ２１３を上開閉弁２１１を介して押しボタン２０２の散布口２０１に連通接続し、下カップ２１４を下開閉弁２１２を介して吸引パイプ２０４に連通接続してある。この状態から上カップ２１４を押しボタン２０２のスプリング２０３に抗した押し込み下降動作で下降させて図２の（２）に示す状態にして、ポンプ２１５内から収容散布液を散布口２０１に排出して収納体１内に散布する。この状態から、スプリング２０３の復元力により押しボタン２０２の上昇動作で上カップ２１３を上昇させて下カップ２１４の下開閉弁２１２を介して吸引パイプ２０４から散布液をポンプ２１５内に吸引収容し元の図２の（１）の状態にするのである。【００２５】  前記押し込み操作機構３００Ａは、先端部を前記開閉具２に当接離間可能にし、前記押しボタン２０２の半円球ヘッド２０２ａに摺動接触して押しボタン２０２の押し込みとその解除をする前下がりのテーパカム３１１ａを胴部に形成したカム付操作アーム３１０と、前記カム付操作アーム３１０を付勢して前後所定範囲の往復摺動を可能にしたばね機構３２０ａと、これ等カム付操作アーム３１０及びばね機構３２０ａを収容し散布液収容部１００の上部に着脱可能に装着した枠体３３０とからなる。【００２６】  枠体３３０は、散布方向側に散布用開口部３３１を形成し、上部にカム付操作アーム３１０用のケース３３２を設け、下部に散布液収容部１００の肩部１１０ａに沿って着脱可能に嵌る突出型の嵌め部３３３ａを形成したスカート３３４ａを設け、中央部に押しボタン２０２の上下動案内用のガイド３３５を形成し、散布用開口部３３１にスポンジなどの散布液吸収・放散部材３３６を配置して散布液の飛散を防止すると共に散布液の保持と収容体１内への長時間拡散を持続させる。【００２７】カム付操作アーム３１０は、本体を前後所定範囲にスライド可能に前記枠体３３０のケース３３２に装着し、先端部を突出して前記開閉具２に当接離間可能にし、後退摺動（収容容器側への摺動）でテーパカム３１１ａを前記押しボタン２０２の半円球ヘッド２０２ａに摺動接触して押しボタン２０２をスプリング２０３に抗して下方に押し込み、前記散布液吐出器２１０の散布液吐出を作動させ、また前進摺動（開閉具２側への摺動）でテーパカム３１１ａを前記押しボタン２０２の半円球ヘッド２０２ａに摺動接触して押しボタン２０２をスプリング２０３の復元力で上昇させ前記散布液吐出器２１０の散布液吐出を中止させる。
またカム付操作アーム３１０の前進摺動域と後退摺動域の制限は、前記枠体３３０のケース３３２の前部に形成しカム付操作アーム３１０の溝３１３に係合させたストッパー突起３３６により行う。【００２８】ばね機構３２０ａは、カム付操作アーム３１０の前部内に圧縮状態で収容し、後端を枠体３３０のケース３３２に設けた固定支持体３３７に支持されてカム付操作アーム３１０に伸長力を常に付勢し、カム付操作アーム３１０の作動域での前記前進摺動と後退摺動を可能にしてある。【００２９】以上の構成により、実施例１の収容体内自動散布装置は、収容体１の開閉具２を閉めるとカム付操作アーム３１０が後退作動してそのテーパカム３１１ａ部で押しボタン２０２をスプリング２０３に抗して下降作動させて、散布液吐出器２１０のポンプ２１５から散布液を散布口２０１を介して収容体１内に散布する。また開閉具２を開けるとカム付操作アーム３１０が前進作動してそのテーパカム３１１ａ部の離間作用とスプリング２０３の復元作動で押しボタン２０２を上昇作動させて、散布口２０１から収容体１内への散布を中止すると共に散布液吐出器２１０のポンプ２１５内に散布液を吸引して貯留し次回の散布に備えるのである。
【実施例２】
【００３０】実施例２は図３〜図４の縦断面説明図に示す。
図３〜図４において、収容体内自動散布装置は、収容体１の開閉具２を開けた際に、図３の（２）と図４の（２）に示す状態にして、開閉具２の開作動で散布液を所定量散布し、その後、開閉具２の閉作動により図３の（１）と図４の（１）に示す状態にして散布液を吸引し、次の開作動で再び散布をするタイプであり、散布液散布装置１００Ａと、押し込み操作機構３００Ａとからなる。
本実施例２は、実施例１との違いは散布液散布装置１００Ａの押しボタン２０２と、押し込み操作機構３００Ａのカム付操作アーム３１０とばね機構３２０ｂであり、その他は実施例１と同一構成のため、同一箇所は同一符号を付し詳細な説明は省略する。【００３１】散布液吐出機構２００において、散布口２０１付の押しボタン２０２は、前上がりのテーパヘッド２０２ｂを形成してある。他の構成は実施例と同一構成である。【００３２】押し込み操作機構３００のカム付操作アーム３１０は、胴部にテーパ面を前記テーパヘッド２０２ｂのテーパ面に平行にした前上がりのテーパカム３１１ｂを設け、本体を所定範囲を前後スライド可能に前記枠体３３０のケース３３２に装着し、先端部を突出して前記開閉具２に当接離間可能にし、後退摺動でテーパカム３１１ｂを前記押しボタン２０２のテーパヘッド２０２ｂに摺動接触して押しボタン２０２を下方に押し込み、前記散布液吐出器２１０の散布液吐出を作動させ、前進摺動でその解除をする。【００３３】ばね機構３２０ｂは、枠体３３０のケース３３２の後部内に圧縮状態で収容し、先端をカム付操作アーム３１０の後端面に圧接してカム付操作アーム３１０にその前進方向に伸長力を常に付勢し、カム付操作アーム３１０の作動域での前記前進摺動と後退摺動を可能にしてある。【００３４】以上の構成により、実施例２の収容体内自動散布装置は、収容体１の開閉具２を開けるとカム付操作アーム３１０が前進作動してそのテーパカム３１１ｂ部で押しボタン２０２をスプリング２０３に抗して下降作動させて、散布液吐出器２１０のポンプ２１５から散布液を散布口２０１を介して収容体１内に散布する。また開閉具２を閉めるとカム付操作アーム３１０が後退作動してそのテーパカム３１１ｂ部の離間作動とスプリング２０３の復元作用で押しボタン２０２を上昇作動させて、散布口２０１から収容体１内への散布を中止すると共に散布液吐出器２１０のポンプ２１５内に吸引パイプ２０４から散布液を吸引して貯留し次回の散布に備えるのである。
【実施例３】
【００３５】  本発明の実施例３を図５〜図６の縦断面説明図に示す。
図５〜図６において、収容体内自動散布装置は、収容体１の開閉具２を閉めた時に図５の（１）と図６の（１）に示す散布中止の作動状態になり、次にように、開閉具２を少し開けた時に図５の（２）と図６の（２）に示す散布液散布の作動状態になり（途中散布）し、次に開閉具２を更に開けた時に図５の（３）と図６の（３）に示す散布液散布中止の作動状態になる。そしてこれらの逆動作で途中散布を可能にしたタイプである。
本実施例３は、実施例１及び２との違いは、散布液散布装置１００Ａにおける散布口２０１付の押しボタン２０２、及び散布液散布装置１００Ａにおける散布液吐出機構２００の散布液収容部１００ａと散布液吐出器２１０ｂ、及び押し込み操作機構３００Ａの枠体３３０とカム付操作アーム３１０であり、その他は実施例２と同一構成のため、同一箇所は同一符号を付し詳細な説明は省略する。【００３６】散布液散布装置１００Ａにおいて、前記散布液吐出機構２００は、散布液と圧縮ガスとの二流体混合吐出式にしたものであり、散布液吐出機構２００の散布液収容部１００ｂには、消毒液、滅菌液、除菌液、芳香液、消臭液の何れか一つである散布液と高圧ガスを収容した二流体タイプである。【００３７】１．散布口２０１付の押しボタン２０２の構成
押しボタン２０２は、一つの山波ヘッド２０２ｃを形成し、スプリング２０３により所定範囲を上下動可能にしてある。【００３８】２．散布液吐出機構２００の散布液吐出器２１０ｂの構成
散布液吐出機構２００は、下部に散布液導入パイプ２２１を接続し側部に気体導入孔２２２を有する二流体混合室２２０と、同室内を押しボタン２０２と共に下降して排出孔２２３をガスケット４０１から離脱させて下方に位置させて開き、散布液導入パイプ２２１からガス混合散布液を導入すると共に気体導入孔２２２から高圧ガスを導入して、これらの混合二流体を排出孔２２３から押しボタン２０２の散布口２０１に排出する弁本体４００とからなる。弁本体４００は二流体混合室２２０の散布液導入弁２２１との間のスプリング４０２の復元力により上昇動作させて排出孔２２３をガスケット４０１で塞ぎ、散布口２０１からの混合二流体の散布を中止するタイプである。【００３９】３．押し込み操作機構３００の枠体３３０の構成
枠体３３０は、散布方向側に散布用開口部３３１を形成し、上部にカム付操作アーム３１０用のケース３３２を設け、下部に散布液散布装置の散布液収容部１００の肩部接合突起１１０ｂに着脱可能に嵌る逆Ｕ字型の嵌め部３３３ｂを形成したスカート３３４ｂを設け中央部に押しボタン２０２の上下動案内用のガイド３３５を形成したものである。【００４０】４．押し込み操作機構３００のカム付操作アーム３１０の構成
カム付操作アーム３１０は、二段の山波カム３１１ｃを形成し、本体を前後所定範囲をスライド可能に前記枠体３３０のケース３３２に装着し、先端部を突出して前記開閉具２に当接離間可能にしてある。
カム付操作アーム３１０は、図５の（１）に示す状態から、開閉具２の開動作により前進摺動してその初期に、一段目の山波カム３１１ｃ−１で前記押しボタン２０２の山波ヘッド２０２ｃに摺動接触させて押しボタン２０２を下方に押し込んで図５の（２）の状態になり散布液を散布させ、次いで続く開閉具２の開動作により更に二段目の山波カム３１１ｃ−２を前進摺動して図５の（３）の状態になり散布を中止する。前記枠体３３０のケース３３２の突起３３６は、カム付操作アーム３１０の溝３１３に係合してカム付操作アーム３１０の前進摺動域と後退摺動域を制限するストッパー突起である。【００４１】５．ばね機構３２０ｃの構成
ばね機構３２０ｃは、枠体３３０のケース３３２の後部に内に圧縮状態で収容し、先端をカム付操作アーム３１０の後端面に圧接してカム付操作アーム３１０にその前進方向に伸長力を常に付勢し、カム付操作アーム３１０の作動域での前記前進摺動と後退摺動を可能にしてある。【００４２】以上の構成により、実施例３の収容体内自動散布装置は、収容体１の開閉具２を開けるとカム付操作アーム３１０が前進作動して一段目の山波カム３１１ｃ−１部で押しボタン２０２をスプリング４０２に抗して下降作動させて、散布液吐出機構２００を開作動させ二流体散布液を散布口２０１を介して収容体１内に、ミスト状にして或いは霧状、液滴状等にして散布する。これに続く二段目の山波カム３１１ｃ−２部で押しボタン２０２をスプリング４０２の復元力で上昇作動させて、散布口２０１からの二流体散布液の散布を中止する。以降開閉具２が開き動作中はこの中止状態が保持される。次に開閉具２を閉動作させるとその途中で、カム付操作アーム３１０の先端が当たり後退作動して二段目の山波カム３１１ｃ−２部で押しボタン２０２を下降作動させて、散布口２０１から収容体１内への散布を行い、次の一段目の山波カム３１１ｃ−１部で押しボタン２０２を上昇作動させて散布液吐出機構２００を閉作動させて散布口２０１から収容体１内への散布を中止するのである。
【産業上の利用可能性】
【００４３】  本発明の扉又は蓋用の自動噴射装置は、前記の優れた作用効果を呈するものであり収容体１である部屋や、洋・和ダンス、書籍収納棚、食器収納棚等の家具類、工具収容箱等什器類等を取り扱う産業界及びこれらを使用する一般家庭や事務所、工場等のエンドユーザーに多大な貢献をもたらすものである。
【符号の説明】
【００４４】１：収納体                          ２０２ｃ：山波ヘッド
２：開閉具                          ２００：散布液吐出機構
１００Ａ：散布液散布装置            ３００Ａ：押し込み操作機構
１００：散布液収容部                ３１０：カム付操作アーム
２０１：散布口                      ３１１ａ，３１１ｂ：テーパカム
２０３、４０２：スプリング          ３１１ｃ−１、３１１ｃ−２：山波カム
２０２：押しボタン                  ３２０ａ，３２０ｂ、３２０ｃ：ばね機構
２０２ａ：半円球ヘッド              ３３１：枠体
２０２ｂ：テーパヘッド
【図１】
2015136698.tif 000003
【図２】
2015136698.tif 000004
【図３】
2015136698.tif 000005
【図４】
2015136698.tif 000006
【図５】
2015136698.tif 000007
【図６】
2015136698.tif 000008